(57)【要約】【課題】作業者の目を保護しつつ、光がファイバ端まで届いているかを確認可能にすること。【解決手段】ＶＣＳＥＬ１１３は、ファイバ１３３，１３４を有するファイバケーブル１３０を介して光信号を送信する。ＰＤ１１４は、ファイバケーブル１３０を介して光信号を受信する。ＬＥＤ１１６は、ファイバケーブル１３０へ入射する可視光を発する。ＴＩＡ＿ＩＣ１１５は、ＰＤ１１４が光信号を受信していないことを検出すると、ＶＣＳＥＬ１１３からの光信号の送信を停止させ、ＬＥＤ１１６から可視光を発せさせる。【選択図】図１
2018129651.tif 000002
【特許請求の範囲】
【請求項１】
ファイバを有する光伝送部材を介して光信号を送信するレーザ光源と、
前記光伝送部材を介して光信号を受信する受光部と、
前記光伝送部材へ入射する可視光を発する可視光源と、
前記受光部が光信号を受信していないことを検出すると、前記レーザ光源からの光信号の送信を停止させ、前記可視光源から可視光を発せさせる制御部と、
を備えることを特徴とする光トランシーバ。
【請求項２】
前記光伝送部材は、前記レーザ光源によって送信された光信号を伝播させる第１ファイバと、前記受光部によって受信される光信号を伝播させる第２ファイバと、を含み、
前記可視光源は、拡散して前記第１ファイバおよび前記第２ファイバへ入射する前記可視光を発する、
ことを特徴とする請求項１に記載の光トランシーバ。
【請求項３】
前記可視光源は、前記レーザ光源と前記受光部との間に設けられることを特徴とする請求項１または２に記載の光トランシーバ。
【発明の詳細な説明】
【技術分野】
【０００１】
本発明は、光信号の送受信を行う光トランシーバに関する。
【背景技術】
【０００２】
従来、光ファイバ等により光信号の送受信を行う光トランシーバが知られている。また、接続検出機能のための構成として、所定の波長の光を含んだ励起光を出射する発光ダイオードなどの接続検出用発光素子を備える送信装置が知られている（たとえば、下記特許文献１参照。）。
【先行技術文献】
【特許文献】
【０００３】
【特許文献１】国際公開第２０１２／０９３４３１号
【発明の概要】
【発明が解決しようとする課題】
【０００４】
しかしながら、上述した従来技術では、たとえば光トランシーバにおいて受信側の光入力断が検出された場合に、作業者の目を保護しつつ、光がファイバ端まで届いているかを作業者が確認することができないという問題がある。
【０００５】
１つの側面では、本発明は、作業者の目を保護しつつ、光がファイバ端まで届いているかを確認可能にすることができる光トランシーバを提供することを目的とする。
【課題を解決するための手段】
【０００６】
上述した課題を解決し、目的を達成するため、１つの実施態様では、ファイバを有する光伝送部材を介して光信号を送信するレーザ光源と、前記光伝送部材を介して光信号を受信する受光部と、前記光伝送部材へ入射する可視光を発する可視光源と、前記受光部が光信号を受信していないことを検出すると、前記レーザ光源からの光信号の送信を停止させ、前記可視光源から可視光を発せさせる制御部と、を備える光トランシーバが提案される。
【発明の効果】
【０００７】
本発明の一側面によれば、作業者の目を保護しつつ、光がファイバ端まで届いているかを確認可能にすることができるという効果を奏する。
【図面の簡単な説明】
【０００８】
【図１】図１は、実施の形態１にかかる光伝送システムの一例を示す図である。
【図２】図２は、実施の形態１にかかる光伝送システムのＴＩＡ＿ＩＣの一例を示す図である。
【図３】図３は、実施の形態１にかかるＬＯＳ生成回路による光入力断の検出の一例を示す図である。
【図４】図４は、実施の形態１にかかる光伝送システムのＬＥＤによる可視光の照射（ＹＺ平面）の一例を示す断面図である。
【図５】図５は、実施の形態１にかかる光伝送システムのＬＥＤによる可視光の照射（ＸＺ平面）の一例を示す断面図である。
【図６】図６は、実施の形態１にかかる光伝送システムにおける異常発生時の処理の一例を示すシーケンス図である。
【図７】図７は、実施の形態１にかかる伝送システムの作業者による異常原因の判別作業の一例を示すフローチャートである。
【図８】図８は、実施の形態１にかかる光伝送システムの他の一例を示す図である。
【図９】図９は、実施の形態２にかかる光伝送システムの一例を示す図である。
【図１０】図１０は、実施の形態２にかかる光伝送システムのＬＥＤによる可視光の照射（ＹＺ平面）の一例を示す断面図である。
【図１１】図１１は、実施の形態２にかかる光伝送システムのファイバケーブルの端部における可視光の一例を示す図（その１）である。
【図１２】図１２は、実施の形態２にかかる光伝送システムのファイバケーブルの端部における可視光の一例を示す図（その２）である。
【図１３】図１３は、実施の形態２にかかる光伝送システムの他の一例を示す図である。
【図１４】図１４は、実施の形態２にかかるＬＥＤのワイヤ接続の一例を示す断面図である。
【図１５】図１５は、実施の形態２にかかるＬＥＤのフリップチップ接続の一例を示す断面図である。
【図１６】図１６は、実施の形態２にかかるＬＥＤのミラー裏面照射の一例を示す断面図である。
【図１７】図１７は、実施の形態２にかかるＬＥＤのワイヤ接続の他の一例を示す断面図である。
【図１８】図１８は、実施の形態２にかかるＬＥＤのフリップチップ接続の他の一例を示す断面図である。
【図１９】図１９は、実施の形態２にかかる光トランシーバに光結合コネクタを用いる構成の一例を示す図である。
【図２０】図２０は、実施の形態２にかかる光結合コネクタのミラー付きコネクタ型の構成の一例を示す断面図である。
【図２１】図２１は、実施の形態２にかかる光結合コネクタのファイバベンド型の構成の一例を示す断面図（その１）である。
【図２２】図２２は、実施の形態２にかかる光結合コネクタのファイバベンド型の構成の一例を示す断面図（その２）である。
【発明を実施するための形態】
【０００９】
以下に図面を参照して、本発明にかかる光トランシーバの実施の形態を詳細に説明する。
【００１０】
（実施の形態１）
（実施の形態１にかかる光伝送システム）
図１は、実施の形態１にかかる光伝送システムの一例を示す図である。図１に示すように、実施の形態１にかかる光伝送システム１００は、第１光トランシーバ１１０と、第２光トランシーバ１２０と、ファイバケーブル１３０と、を含む。Ｘ軸、Ｙ軸およびＺ軸は互いに直交する方向を示す。Ｘ軸は光の進行方向を示す。Ｙ軸は第１光トランシーバ１１０および第２光トランシーバ１２０の基盤（後述の基盤１１９，１２９）の面と平行な方向である。Ｚ軸は第１光トランシーバ１１０および第２光トランシーバ１２０の基盤の面と直交する方向である。
【００１１】
第１光トランシーバ１１０は、ドライバＩＣ１１１と、導波路１１２と、ＶＣＳＥＬ１１３と、ＰＤ１１４と、ＴＩＡ＿ＩＣ１１５と、ＬＥＤ１１６と、光コネクタ１１７と、を備える光送受信機である。第１光トランシーバ１１０のこれらの構成は基盤１１９に設けられる。基盤１１９は、たとえばＦＰＣまたはＰＣＢにより実現することができる。ＦＰＣはＦｌｅｘｉｂｌｅ  Ｐｒｉｎｔｅｄ  Ｃｉｒｃｕｉｔｓの略である。ＰＣＢはＰｒｉｎｔｅｄ  Ｃｉｒｃｕｉｔ  Ｂｏａｒｄの略である。ドライバＩＣ１１１は、基盤１１９の配線を介してＶＣＳＥＬ１１３およびＴＩＡ＿ＩＣ１１５と接続されている。ＴＩＡ＿ＩＣ１１５は、基盤１１９の配線を介してドライバＩＣ１１１、ＰＤ１１４およびＬＥＤ１１６と接続されている。
【００１２】
ＩＣはＩｎｔｅｇｒａｔｅｄ  Ｃｉｒｃｕｉｔ（集積回路）の略である。ＶＣＳＥＬはＶｅｒｔｉｃａｌ  Ｃａｖｉｔｙ  Ｓｕｒｆａｃｅ  Ｅｍｉｔｔｉｎｇ  Ｌａｓｅｒ（垂直共振器面発光レーザ）の略である。ＰＤはＰｈｏｔｏ  Ｄｅｔｅｃｔｏｒの略である。ＴＩＡはＴｒａｎｓｉｍｐｅｄａｎｃｅ  Ａｍｐｌｉｆｉｅｒ（インピーダンス変換増幅器）の略である。ＬＥＤはＬｉｇｈｔ  Ｅｍｉｔｔｉｎｇ  Ｄｉｏｄｅ（発光ダイオード）の略である。
【００１３】
ドライバＩＣ１１１は、入力された電気信号に応じてＶＣＳＥＬ１１３の駆動信号を生成し、生成した駆動信号をＶＣＳＥＬ１１３へ出力することによりＶＣＳＥＬ１１３を駆動する。また、ドライバＩＣ１１１は、光入力断を検出したことを示すＬＯＳ信号がＴＩＡ＿ＩＣ１１５から出力されると、ＶＣＳＥＬ１１３の発光を停止させる。ＬＯＳはＬｏｓｓ  Ｏｆ  Ｓｉｇｎａｌ（入力断）の略である。
【００１４】
たとえば、ドライバＩＣ１１１は、発光の停止を指示する発光停止信号をＶＣＳＥＬ１１３へ出力することによってＶＣＳＥＬ１１３の発光を停止させる。または、ドライバＩＣ１１１は、ＶＣＳＥＬ１１３への駆動信号の出力を停止することによってＶＣＳＥＬ１１３の発光を停止させてもよい。
【００１５】
ＶＣＳＥＬ１１３は、ドライバＩＣ１１１から出力された駆動信号に応じた光信号（レーザ光）を生成し、生成した光信号を導波路１１２のコア１１２ａへ出射するレーザ光源である。また、ＶＣＳＥＬ１１３は、ドライバＩＣ１１１から発光停止信号が出力されると光信号の出射（発光）を停止してもよい。
【００１６】
導波路１１２は、光を導波する導波路（ＷＧ：Ｗａｖｅ  Ｇｕｉｄｅ）である。導波路１１２は、コア１１２ａ，１１２ｂを有する。コア１１２ａは、ＶＣＳＥＬ１１３から出射された光信号を伝播させてファイバケーブル１３０のファイバ１３３へ出射する。コア１１２ｂは、ファイバケーブル１３０のファイバ１３４から出射された光信号を伝播させてＰＤ１１４へ出射する。
【００１７】
ＰＤ１１４は、導波路１１２のコア１１２ｂから出射された光信号を受光（光電変換）する受光部である。また、ＰＤ１１４は、受光結果に応じた電気信号を生成し、生成した電気信号をＴＩＡ＿ＩＣ１１５へ出力する。
【００１８】
ＴＩＡ＿ＩＣ１１５は、ＰＤ１１４から出力された電気信号の受信処理を行い、受信処理によって得られた電気信号を出力する。また、ＴＩＡ＿ＩＣ１１５は、ＰＤ１１４への光信号の入力が断になる光入力断（ＬＯＳ）を検出する。そして、ＴＩＡ＿ＩＣ１１５は、光入力断を検出すると、光入力断を検出したことを示すＬＯＳ信号をドライバＩＣ１１１へ出力し、発光の開始を指示する発光開始信号をＬＥＤ１１６へ出力する。すなわち、ＴＩＡ＿ＩＣ１１５は、ＰＤ１１４が光信号を受信していないことを検出すると、ＶＣＳＥＬ１１３からの光信号の送信を停止させ、ＬＥＤ１１６から可視光を発せさせる制御部である。
【００１９】
ＬＥＤ１１６は、ＴＩＡ＿ＩＣ１１５から発光開始信号が出力されるまでは消灯している。また、ＬＥＤ１１６は、ＴＩＡ＿ＩＣ１１５から発光開始信号が出力されると、導波路１１２の側（Ｚ軸の正方向）へ向けて可視光を出射する可視光源である。また、ＬＥＤ１１６が出射する可視光は、たとえばＶＣＳＥＬ１１３が出射する光信号（レーザ光）より放射角が大きい拡散光である。また、ＬＥＤ１１６は、Ｚ軸方向においてコア１１２ａやコア１１２ｂとの間で間隔を有して配置される。
【００２０】
たとえば図１に示す例ではＬＥＤ１１６はＸＹ平面上でコア１１２ａ，１１２ｂと異なる位置に設けられているが、ＬＥＤ１１６が出射する可視光は拡散光であるためコア１１２ａ，１１２ｂに結合する。このため、ＬＥＤ１１６が出射した可視光は、ファイバケーブル１３０のファイバ１３３，１３４により第２光トランシーバ１２０の側へ伝播する。
【００２１】
光コネクタ１１７は、たとえば基盤１１９および導波路１１２に固定され、ファイバケーブル１３０の光コネクタ１３１との間で着脱が可能な光コネクタである。
【００２２】
第２光トランシーバ１２０は、ドライバＩＣ１２１と、導波路１２２と、ＶＣＳＥＬ１２３と、ＰＤ１２４と、ＴＩＡ＿ＩＣ１２５と、ＬＥＤ１２６と、光コネクタ１２７と、を備える光送受信機である。第２光トランシーバ１２０のこれらの構成は基盤１２９に設けられる。基盤１２９は、たとえばＦＰＣまたはＰＣＢにより実現することができる。ドライバＩＣ１２１は、基盤１２９の配線を介してＶＣＳＥＬ１２３およびＴＩＡ＿ＩＣ１２５と接続されている。ＴＩＡ＿ＩＣ１２５は、基盤１２９の配線を介してドライバＩＣ１２１、ＰＤ１２４およびＬＥＤ１２６と接続されている。
【００２３】
また、第２光トランシーバ１２０の各構成は、第１光トランシーバ１１０の各構成と同様である。ただし、導波路１２２のコア１２２ｂは、ＶＣＳＥＬ１２３から出射された光信号を伝播させてファイバケーブル１３０のファイバ１３４へ出射する。また、導波路１２２のコア１２２ａは、ファイバケーブル１３０のファイバ１３３から出射された光信号を伝播させてＰＤ１２４へ出射する。
【００２４】
ファイバケーブル１３０は、光コネクタ１３１，１３２と、ファイバ１３３，１３４と、を備える２芯の光伝送部材である。光コネクタ１３１は、ファイバ１３３，１３４における第１光トランシーバ１１０の側の各端部に固定され、第１光トランシーバ１１０の光コネクタ１１７との間で着脱が可能な光コネクタである。光コネクタ１３２は、ファイバ１３３，１３４における第２光トランシーバ１２０の側の各端部に固定され、第２光トランシーバ１２０の光コネクタ１２７との間で着脱が可能な光コネクタである。
【００２５】
一例としては、光コネクタ１３１および光コネクタ１１７はＭＰＯコネクタである。また、光コネクタ１３２および光コネクタ１２７はＭＰＯコネクタである。図１は、光コネクタ１３１が光コネクタ１１７に接続され、光コネクタ１３２が光コネクタ１２７に接続されている状態を示している。
【００２６】
ファイバ１３３，１３４は、たとえばＭＭＦなどの光ファイバである。ＭＭＦはＭｕｌｔｉ  Ｍｏｄｅ  Ｆｉｂｅｒ（マルチモードファイバ）の略である。ファイバ１３３は、第１光トランシーバ１１０のコア１１２ｂから出射された光を伝播させて第２光トランシーバ１２０のコア１２２ａへ出射する。ファイバ１３４は、第２光トランシーバ１２０のコア１２２ａから出射された光を伝播させて第１光トランシーバ１１０のコア１１２ｂへ出射する。
【００２７】
（実施の形態１にかかる光伝送システムのＴＩＡ＿ＩＣ）
図２は、実施の形態１にかかる光伝送システムのＴＩＡ＿ＩＣの一例を示す図である。図２においては第１光トランシーバ１１０のＴＩＡ＿ＩＣ１１５の構成について説明するが、第２光トランシーバ１２０のＴＩＡ＿ＩＣ１２５の構成についてもＴＩＡ＿ＩＣ１１５の構成と同様である。図２に示すように、ＴＩＡ＿ＩＣ１１５は、たとえば、ＴＩＡ２０１と、増幅器２０２，２０３と、ＬＯＳ生成回路２０４と、を備える。
【００２８】
ＴＩＡ２０１は、ＰＤ１１４から出力された電気信号を電流信号から電圧信号に変換する。そして、ＴＩＡ２０１は、変換した電気信号を増幅器２０２，２０３へ出力する。増幅器２０２は、ＴＩＡ２０１から出力された電気信号を増幅し、増幅した電気信号をＴＩＡ＿ＩＣ１１５の後段へ出力する。増幅器２０３は、ＴＩＡ２０１から出力された電気信号を増幅し、増幅した電気信号（ＰＤ電流）をＬＯＳ生成回路２０４へ出力する。
【００２９】
ＬＯＳ生成回路２０４は、増幅器２０３から出力された電気信号（ＰＤ電流）に基づいて、ＰＤ１１４への光信号の入力が断になる光入力断（ＬＯＳ）を検出する。たとえば、ＬＯＳ生成回路２０４には所定の電圧値を示すＬＯＳ閾値が設定され、ＬＯＳ生成回路２０４は、増幅器２０３から出力された電気信号の電圧とＬＯＳ閾値との比較に基づいて光入力断を検出する。一例としては、ＬＯＳ生成回路２０４は、増幅器２０３から出力された電気信号の電圧がＬＯＳ閾値を下回った場合に、光入力断があったと判断する。
【００３０】
そして、ＬＯＳ生成回路２０４は、光入力断を検出すると、光入力断を検出したことを示すＬＯＳ信号をドライバＩＣ１１１へ出力する。また、たとえば、ＬＯＳ生成回路２０４は、ドライバＩＣ１１１へＬＯＳ信号を出力する場合に、発光の開始を指示する発光開始信号をＬＥＤ１１６へ出力する。
【００３１】
（実施の形態１にかかるＬＯＳ生成回路による光入力断の検出）
図３は、実施の形態１にかかるＬＯＳ生成回路による光入力断の検出の一例を示す図である。図２に示した第１光トランシーバ１１０のＴＩＡ＿ＩＣ１１５のＬＯＳ生成回路２０４による光入力断の検出について説明するが、第２光トランシーバ１２０のＴＩＡ＿ＩＣ１２５における光入力断の検出についても同様である。
【００３２】
図３において、横軸は時間を示す。光信号パワー３１０は、ＰＤ１１４へ入力される光信号のパワー（強度）を示す。ＰＤ電流３２０は、図２に示したＬＯＳ生成回路２０４へ入力される電気信号（ＰＤ電流）の電圧を示す。ＬＯＳ信号３３０は、ＬＯＳ生成回路２０４が出力するＬＯＳ信号を示す。
【００３３】
図３に示す例では、ＰＤ１１４への光信号の入力が断になる入力断が発生して光信号パワー３１０が急激に低下し、それにともなってＰＤ電流３２０も急激に低下し、時刻ｔ１においてＰＤ電流３２０がＬＯＳ閾値を下回ったとする。この場合に、ＬＯＳ信号３３０が、ローレベル（ｌｏｗ）の状態からハイレベル（ｈｉｇｈ）の状態になり、入力断を検出したことを示すＬＯＳ信号としてドライバＩＣ１１１へ出力される。また、ＬＯＳ生成回路２０４は、ＬＯＳ信号３３０をハイレベルにするとともに、発光の開始を指示する発光開始信号をＬＥＤ１１６へ出力する。
【００３４】
また、ＬＥＤ１１６，１２６が出射する可視光の強度は、たとえばＰＤ電流がＬＯＳ閾値以下になるように設定してもよい。これにより、ＶＣＳＥＬ１１３，１２３が発光を停止してＬＥＤ１１６，１２６が発光を開始した場合に、ＬＥＤ１１６，１２６の可視光によって入力断が検出されなくなることを回避することができる。
【００３５】
（実施の形態１にかかる光伝送システムのＬＥＤによる可視光の照射（ＹＺ平面））
図４は、実施の形態１にかかる光伝送システムのＬＥＤによる可視光の照射（ＹＺ平面）の一例を示す断面図である。図４において、図１に示した部分と同様の部分については同一の符号を付して説明を省略する。図４においては、図１に示した導波路１１２、ＶＣＳＥＬ１１３、ＰＤ１１４およびＬＥＤ１１６をＹＺ平面で切った断面を示している。また、図４に示す例では、光伝送システム１００において光入力断が検出されることにより、ＶＣＳＥＬ１１３の発光が停止し、ＬＥＤ１１６が発光している。
【００３６】
可視光４１０は、導波路１１２の下部に設けられたＬＥＤ１１６から出射された可視光である。図４に示すように、可視光４１０は、ＹＺ平面上で拡散する拡散光である。放射角４１１は、可視光４１０の放射角である。可視光４１０は、たとえばＶＣＳＥＬ１１３がコア１１２ａへ出射する光信号（レーザ光）より放射角４１１が小さい。
【００３７】
このため、たとえばＸＹ平面上におけるＬＥＤ１１６の位置決めを精度よく行わなくても、ＬＥＤ１１６からの可視光４１０をコア１１２ａやコア１１２ｂへ入射させることができる。第１光トランシーバ１１０のＬＥＤ１１６による可視光の照射について説明したが第２光トランシーバ１２０のＬＥＤ１２６による可視光の照射についても同様である。
【００３８】
（実施の形態１にかかる光伝送システムのＬＥＤによる可視光の照射（ＸＺ平面））
図５は、実施の形態１にかかる光伝送システムのＬＥＤによる可視光の照射（ＸＺ平面）の一例を示す断面図である。図５において、図１，図４に示した部分と同様の部分については同一の符号を付して説明を省略する。図５においては、図１に示した導波路１１２のコア１１２ａおよびファイバケーブル１３０をＸＺ平面で切った断面を示している。
【００３９】
図５に示す例では、光伝送システム１００において光入力断が検出されることにより、ＶＣＳＥＬ１１３の発光が停止し、ＬＥＤ１１６が発光して可視光４１０を出射し、作業者によって光コネクタ１３２が第２光トランシーバ１２０から外されている。
【００４０】
ミラー５１１は、導波路１１２に設けられた反射部である。たとえば、ミラー５１１は、導波路１１２のコア１１２ａの下部に設けられたＶＣＳＥＬ１１３からＺ軸の正方向に出射された光信号をＸ軸の正方向に反射させてコア１１２ａへ入射させる。
【００４１】
ＬＥＤ１１６が出射する可視光４１０は、ＸＺ平面上で拡散する拡散光である。このため、可視光４１０には、コア１１２ａに対する入射角が異なる各光が含まれる。たとえば、可視光４１０に含まれる可視光５２１は、コア１１２ａに対する入射角が臨界角以下の光であり、コア１１２ａに入射するとコア１１２ａの内部で全反射し、コア１１２ａによって伝播する。
【００４２】
レンズ部５３１は、光コネクタ１１７の内部に設けられたレンズである。コア５４１は、ファイバケーブル１３０のファイバ１３３のコアである。コア１１２ａによって伝播した可視光５２１は、レンズ部５３１によってコア５４１に集光されてコア５４１に入射し、ファイバケーブル１３０が正常であればコア５４１によって伝播して光コネクタ１３２の端部から出射される。このため、作業者の目５５１によってＬＥＤ１１６の可視光５２１を確認することができる。
【００４３】
一方、ファイバケーブル１３０に断線等の異常がある場合は、ＬＥＤ１１６の可視光５２１は作業者の目５５１まで正常に届かない。この場合に、光コネクタ１３２の端部においては、可視光５２１が視認できないか、不自然な散乱光が視認される。
【００４４】
（実施の形態１にかかる光伝送システムにおける異常発生時の処理）
図６は、実施の形態１にかかる光伝送システムにおける異常発生時の処理の一例を示すシーケンス図である。実施の形態１にかかる光伝送システム１００においては、異常発生時にたとえば以下の各ステップが実行される。
【００４５】
まず、状態Ｃ１に示すように、第１光トランシーバ１１０および第２光トランシーバ１２０の間で、互いのＶＣＳＥＬ１１３，１２３により双方向の光通信を行っているとする。状態Ｃ１において、第１光トランシーバ１１０および第２光トランシーバ１２０の互いのＬＥＤ１１６，１２６は未発光の状態である。
【００４６】
つぎに、何らかの異常により、第１光トランシーバ１１０のＴＩＡ＿ＩＣ１１５がＰＤ１１４への光入力断を検出したとする（ステップＳ６０１）。この場合に、たとえば、ＴＩＡ＿ＩＣ１１５は、光入力断を検出したことを示すＬＯＳ信号をドライバＩＣ１１１へ出力し、発光の開始を指示する発光開始信号をＬＥＤ１１６へ出力する。
【００４７】
つぎに、第１光トランシーバ１１０のドライバＩＣ１１１がＶＣＳＥＬ１１３の発光を停止させ、ＬＥＤ１１６が発光を開始する（ステップＳ６０２）。たとえば、ドライバＩＣ１１１は、ＴＩＡ＿ＩＣ１１５からＬＯＳ信号が出力されると、発光の停止を指示する発光停止信号をＶＣＳＥＬ１１３へ出力することによりＶＣＳＥＬ１１３の発光を停止させる。ＬＥＤ１１６は、ＴＩＡ＿ＩＣ１１５から発光開始信号が出力されると発光を開始する。
【００４８】
つぎに、ステップＳ６０２によって第１光トランシーバ１１０のＶＣＳＥＬ１１３の発光が停止したことにより、第２光トランシーバ１２０のＴＩＡ＿ＩＣ１２５が、ＰＤ１２４への光入力断を検出する（ステップＳ６０３）。この場合に、たとえば、ＴＩＡ＿ＩＣ１２５は、光入力断を検出したことを示すＬＯＳ信号をドライバＩＣ１２１へ出力し、発光の開始を指示する発光開始信号をＬＥＤ１２６へ出力する。
【００４９】
つぎに、第２光トランシーバ１２０のドライバＩＣ１２１がＶＣＳＥＬ１２３の発光を停止させ、ＬＥＤ１２６が発光を開始する（ステップＳ６０４）。たとえば、ドライバＩＣ１２１は、ＴＩＡ＿ＩＣ１２５からＬＯＳ信号が出力されると、発光の停止を指示する発光停止信号をＶＣＳＥＬ１２３へ出力することによりＶＣＳＥＬ１２３の発光を停止させる。ＬＥＤ１２６は、ＴＩＡ＿ＩＣ１２５から発光開始信号が出力されると発光を開始する。
【００５０】
これにより、状態Ｃ２に示すように、第１光トランシーバ１１０および第２光トランシーバ１２０の互いのＬＥＤ１１６，１２６が発光した状態になる。状態Ｃ２において、第１光トランシーバ１１０および第２光トランシーバ１２０の互いのＶＣＳＥＬ１１３，１２３は未発光である。状態Ｃ２になった場合に、たとえば第１光トランシーバ１１０および第２光トランシーバ１２０の少なくともいずれかが、光伝送システム１００の保守者（作業者）に対して異常の発生を通知する構成としてもよい。
【００５１】
ドライバＩＣ１１１が発光停止信号をＶＣＳＥＬ１１３へ出力することによりＶＣＳＥＬ１１３の発光を停止させる構成について説明したが、ドライバＩＣ１１１がＶＣＳＥＬ１１３の発光を停止させる構成はこれに限らない。たとえば、ドライバＩＣ１１１は、ＶＣＳＥＬ１１３への駆動信号の入力を停止することによりＶＣＳＥＬ１１３の発光を停止させてもよい。ドライバＩＣ１２１がＶＣＳＥＬ１２３の発光を停止させる構成についても同様である。
【００５２】
ＴＩＡ＿ＩＣ１１５がＬＥＤ１１６へ発光開始信号を出力する構成について説明したが、ＬＥＤ１１６の発光を開始させる構成はこれに限らない。たとえば、第１光トランシーバ１１０のドライバＩＣ１１１や他の回路が、ＴＩＡ＿ＩＣ１１５からＬＯＳ信号が出力された場合にＬＥＤ１１６へ発光開始信号を出力する構成としてもよい。または、ＬＥＤ１１６が、ＴＩＡ＿ＩＣ１１５からＬＯＳ信号が出力された場合に発光を開始する構成、すなわち、ＴＩＡ＿ＩＣ１１５がＬＯＳ信号を発光開始信号としてＬＥＤ１１６へ出力する構成としてもよい。ＬＥＤ１２６の発光を開始させる構成についても同様である。
【００５３】
（実施の形態１にかかる伝送システムの作業者による異常原因の判別作業）
図７は、実施の形態１にかかる伝送システムの作業者による異常原因の判別作業の一例を示すフローチャートである。光伝送システム１００の保守者（作業者）は、たとえば光伝送システム１００が図６に示した状態Ｃ２になった場合に、図７に示す各ステップにより異常原因の判別を行う。
【００５４】
まず、作業者は、ファイバケーブル１３０の光コネクタ１３１，１３２のうち一方の光コネクタを外す（ステップＳ７０１）。たとえば、作業者は、ファイバケーブル１３０の光コネクタ１３１を第１光トランシーバ１１０から外す。または、作業者は、ファイバケーブル１３０の光コネクタ１３２を第２光トランシーバ１２０から外す。
【００５５】
つぎに、作業者は、ステップＳ７０１によって外した光コネクタの端部を目視する（ステップＳ７０２）。つぎに、作業者は、ステップＳ７０２による目視の結果に基づいて、ステップＳ７０１によって外した光コネクタの端部が正常な発光状態であるか否かを判断する（ステップＳ７０３）。たとえば、作業者は、外した光コネクタの端部にＬＥＤの可視光が正常に見える場合は正常な発光状態であると判断する。また、作業者は、外した光コネクタの端部にＬＥＤの可視光が見えない、または外した光コネクタの端部に不自然な散乱光が見える場合は正常な発光状態でないと判断する。
【００５６】
ステップＳ７０３において、正常な発光状態でない場合（ステップＳ７０３：Ｎｏ）は、作業者は、ファイバケーブル１３０の異常と判断し（ステップＳ７０４）、一連の判別処理を終了する。この場合のファイバケーブル１３０の異常には、たとえば、ファイバケーブル１３０のファイバの不良や、ファイバケーブル１３０の光コネクタ１３１，１３２のうちステップＳ７０１によって外した光コネクタと異なる光コネクタの接触不良等がある。この場合は、作業者は、たとえばファイバケーブル１３０の交換等の対応を行うことで光伝送システム１００を復旧する。
【００５７】
ステップＳ７０３において、正常な発光状態である場合（ステップＳ７０３：Ｙｅｓ）は、作業者は、ステップＳ７０１によって外した一方の光コネクタを元に戻し、ファイバケーブル１３０の他方の光コネクタを外す（ステップＳ７０５）。たとえば、ステップＳ７０１において光コネクタ１３１を外した場合は、ステップＳ７０５において作業者は光コネクタ１３１を第１光トランシーバ１１０に接続し、光コネクタ１３２を第２光トランシーバ１２０から外す。また、ステップＳ７０１において光コネクタ１３２を外した場合は、ステップＳ７０５において作業者は光コネクタ１３２を第２光トランシーバ１２０に接続し、光コネクタ１３１を第１光トランシーバ１１０から外す。
【００５８】
つぎに、作業者は、ステップＳ７０５によって外した光コネクタの端部を目視する（ステップＳ７０６）。つぎに、作業者は、ステップＳ７０６による目視の結果に基づいて、ステップＳ７０５によって外した光コネクタの端部が正常な発光状態であるか否かを判断する（ステップＳ７０７）。
【００５９】
ステップＳ７０７において、正常な発光状態でない場合（ステップＳ７０７：Ｎｏ）は、作業者は、ファイバケーブル１３０の異常と判断し（ステップＳ７０８）、一連の判別作業を終了する。この場合のファイバケーブル１３０の異常には、たとえば、ファイバケーブル１３０の光コネクタ１３１，１３２のうちステップＳ７０５によって外した光コネクタと異なる光コネクタの接触不良等がある。この場合は、作業者は、たとえばファイバケーブル１３０の交換等の対応を行うことで光伝送システム１００を復旧する。
【００６０】
ステップＳ７０７において、正常な発光状態である場合（ステップＳ７０７：Ｙｅｓ）は、作業者は、ファイバケーブル１３０の異常と異なるその他の異常であると判定し（ステップＳ７０９）、一連の判別作業を終了する。この場合のその他の異常には、たとえば、第１光トランシーバ１１０や第２光トランシーバ１２０の不良や、第１光トランシーバ１１０へ送信するための電気信号を第２光トランシーバ１２０へ入力する上流の装置や伝送路の不良等がある。
【００６１】
図７に示した各ステップにより、作業者は、光伝送システム１００の異常発生時に、異常の原因がファイバケーブル１３０にあるか否かを、光コネクタ１３１，１３２を外して目視によって判別することができる。このため、異常の原因がファイバケーブル１３０にある場合はファイバケーブル１３０の交換等を行うことにより迅速に光伝送システム１００を復旧することができる。また、このときＶＣＳＥＬ１１３，１２３は発光を停止しているため、作業者の目を保護することができる。
【００６２】
（実施の形態１にかかる光伝送システムの他の例）
図８は、実施の形態１にかかる光伝送システムの他の一例を示す図である。図８において、図１に示した部分と同様の部分については同一の符号を付して説明を省略する。図８に示すように、第１光トランシーバ１１０は、図１に示したＬＥＤ１１６に代えてＬＥＤ８１１，８１２を備えていてもよい。
【００６３】
ＬＥＤ８１１，８１２のそれぞれは、図１に示したＬＥＤ１１６と同様のＬＥＤである。ただし、ＬＥＤ８１１はＸＹ平面上でＶＣＳＥＬ１１３の付近に設けられ、ＬＥＤ８１２はＸＹ平面上でＰＤ１１４の付近に設けられている。
【００６４】
図８に示したように、ＰＤ１１４の入力断が検出された場合に発光を開始するＬＥＤは複数設けられていてもよい。また、ＰＤ１１４の入力断が検出された場合に発光を開始するＬＥＤの位置は、図１，図８に示した各位置に限らず、そのＬＥＤが出射する可視光がコア１１２ａ，１１２ｂの少なくともいずれかへ入射する位置であればよい。第１光トランシーバ１１０に設けるＬＥＤについて説明したが、第２光トランシーバ１２０に設けるＬＥＤについても同様である。
【００６５】
このように、実施の形態１にかかる第１光トランシーバ１１０によれば、ＰＤ１１４が光信号を受信していないことを検出すると、ＶＣＳＥＬ１１３からの光信号の送信を停止させ、ＬＥＤ１１６から可視光を発せさせることができる。これにより、ファイバ１３３，１３４にレーザ光が入射せず可視光が入射するため、レーザ光から作業者の目を保護しつつ、光がファイバ端まで届いているかを作業者が確認することができる。
【００６６】
したがって、たとえば、何らかの異常によってＰＤ１１４の光入力断があった場合に、異常の原因がファイバケーブル１３０にあるか否かを安全かつ容易に確認することが可能になり、保守作業を効率化することができる。
【００６７】
また、ＬＥＤ１１６から発する可視光が拡散光であることで、ＬＥＤ１１６の可視光をファイバ１３３，１３４へ入射させるためのＬＥＤ１１６の位置や角度が広範囲になる。このため、たとえばＬＥＤ１１６の位置決め精度が低くても可視光をファイバ１３３，１３４へ入射させることができ、第１光トランシーバ１１０の製造コストを低減することができる。また、ＬＥＤ１１６を有する第１光トランシーバ１１０の設計の自由度を向上させることができる。
【００６８】
また、ファイバ１３３，１３４の両方へ可視光が入射するようにＬＥＤ１１６を設けることで、たとえばファイバ１３３は正常でファイバ１３４に異常が発生した場合に、異常の発生箇所がファイバ１３４であることを容易に特定することができる。たとえば、ファイバ１３３は正常でファイバ１３４に異常が発生した場合は、ファイバ１３３の第２光トランシーバ１２０の側の端部では正常な可視光が視認でき、ファイバ１３４の第２光トランシーバ１２０の側の端部では正常な可視光が視認できない。このような場合は、作業者は、異常の発生箇所がファイバ１３４であることを特定することができる。
【００６９】
また、ＬＥＤ１１６がＶＣＳＥＬ１１３とＰＤ１１４との間に設けられていることで、第１光トランシーバ１１０の大型化を抑制しつつＬＥＤ１１６を設けることができる。また、ＬＥＤ１１６の可視光をファイバ１３３，１３４の両方へ入射させるようにＬＥＤ１１６を設けることが容易になる。
【００７０】
また、第２光トランシーバ１２０についても第１光トランシーバ１１０と同様の構成としてもよい。これにより、異常の発生箇所をより正確に判別することができる。たとえば、ファイバケーブル１３０の光コネクタ１３１，１３２のうち第１光トランシーバ１１０の側の光コネクタ１３１の接触不良が発生した場合に、このファイバケーブル１３０の光コネクタ１３１の接触不良が発生したことを特定することができる。ただし、第２光トランシーバ１２０にＬＥＤ１２６を設けない構成とすることも可能である。
【００７１】
（実施の形態２）
実施の形態２について、実施の形態１と異なる部分について説明する。実施の形態１においては２芯のファイバケーブル１３０を用いて光伝送を行う構成について説明したが、実施の形態２においては、１２芯のファイバケーブル１３０を用いて光伝送を行う構成について説明する。
【００７２】
（実施の形態２にかかる光伝送システム）
図９は、実施の形態２にかかる光伝送システムの一例を示す図である。図９において、図１に示した部分と同様の部分については同一の符号を付して説明を省略する。図９に示すように、実施の形態２にかかるファイバケーブル１３０は、図１に示したファイバ１３３，１３４に代えてファイバ９３１〜９４２を備える１２芯の光伝送部材である。ファイバ９３１〜９４２は、たとえば図１に示したファイバ１３３，１３４と同様のＭＭＦなどの光ファイバである。
【００７３】
また、実施の形態２にかかる光伝送システム１００においては、ファイバケーブル１３０のファイバ９３１〜９３４を用いて第１光トランシーバ１１０から第２光トランシーバ１２０への４チャネルの光通信が行われる。また、ファイバケーブル１３０のファイバ９３９〜９４２を用いて第２光トランシーバ１２０から第１光トランシーバ１１０への４チャネルの光通信が行われる。したがって、ファイバケーブル１３０のファイバ９３５〜９３８においては光通信が行われない。
【００７４】
実施の形態２にかかる第１光トランシーバ１１０は、たとえば、図１に示したＶＣＳＥＬ１１３およびＰＤ１１４に代えて、ＶＣＳＥＬ９１２ａ〜９１２ｄおよびＰＤ９１３ａ〜９１３ｄを備える。ＶＣＳＥＬ９１２ａ〜９１２ｄは、図１に示したＶＣＳＥＬ１１３と同様のＶＣＳＥＬである。ＰＤ９１３ａ〜９１３ｄは、図１に示したＰＤ１１４と同様のＰＤである。また、第１光トランシーバ１１０の導波路１１２は、図１に示したコア１１２ａ，１１２ｂに代えてコア９１１ａ〜９１１ｌを有する。コア９１１ａ〜９１１ｌは、図１に示したコア１１２ａ，１１２ｂと同様のコアである。
【００７５】
ドライバＩＣ１１１は、入力された４チャネルの電気信号に応じてＶＣＳＥＬ９１２ａ〜９１２ｄの各駆動信号を生成し、生成した各駆動信号をそれぞれＶＣＳＥＬ９１２ａ〜９１２ｄへ出力することによりＶＣＳＥＬ９１２ａ〜９１２ｄを駆動する。また、ドライバＩＣ１１１は、光入力断を検出したことを示すＬＯＳ信号がＴＩＡ＿ＩＣ１１５から出力されると、ＶＣＳＥＬ９１２ａ〜９１２ｄの発光を停止させる。
【００７６】
たとえば、ドライバＩＣ１１１は、発光の停止を指示する発光停止信号をＶＣＳＥＬ９１２ａ〜９１２ｄへ出力することによってＶＣＳＥＬ９１２ａ〜９１２ｄの発光を停止させる。または、ドライバＩＣ１１１は、ＶＣＳＥＬ９１２ａ〜９１２ｄへの各駆動信号の出力を停止することによってＶＣＳＥＬ９１２ａ〜９１２ｄの発光を停止させてもよい。
【００７７】
ＶＣＳＥＬ９１２ａ〜９１２ｄのそれぞれは、ドライバＩＣ１１１から出力された駆動信号に応じた光信号（レーザ光）を生成し、生成した光信号をそれぞれ導波路１１２のコア９１１ａ〜９１１ｄへ出射するレーザ光源である。また、ＶＣＳＥＬ９１２ａ〜９１２ｄのそれぞれは、ドライバＩＣ１１１から発光停止信号が出力されると光信号の出射（発光）を停止してもよい。
【００７８】
コア９１１ａ〜９１１ｄは、それぞれＶＣＳＥＬ９１２ａ〜９１２ｄから出射された光信号を伝播させ、それぞれファイバケーブル１３０のファイバ９３１〜９３４へ出射する。コア９１１ｉ〜９１１ｌは、それぞれファイバケーブル１３０のファイバ９３９〜９４２から出射された光信号を伝播させ、それぞれＰＤ９１３ａ〜９１３ｄへ出射する。
【００７９】
ＰＤ９１３ａ〜９１３ｄは、それぞれ導波路１１２のコア９１１ｉ〜９１１ｌから出射された光信号を受光（光電変換）する受光部である。また、ＰＤ９１３ａ〜９１３ｄのそれぞれは、受光結果に応じた電気信号を生成し、生成した電気信号をＴＩＡ＿ＩＣ１１５へ出力する。
【００８０】
ＴＩＡ＿ＩＣ１１５は、ＰＤ９１３ａ〜９１３ｄから出力された各電気信号の受信処理を行い、受信処理によって得られた４チャネルの各電気信号を出力する。また、ＴＩＡ＿ＩＣ１１５は、ＰＤ９１３ａ〜９１３ｄの少なくともいずれかの光信号の入力が断になる光入力断（ＬＯＳ）を検出する。そして、ＴＩＡ＿ＩＣ１１５は、光入力断を検出すると、光入力断を検出したことを示すＬＯＳ信号をドライバＩＣ１１１へ出力し、発光の開始を指示する発光開始信号をＬＥＤ１１６へ出力する。
【００８１】
実施の形態２にかかる第２光トランシーバ１２０は、たとえば、図１に示したＶＣＳＥＬ１２３およびＰＤ１２４に代えて、ＶＣＳＥＬ９２２ａ〜９２２ｄおよびＰＤ９２３ａ〜９２３ｄを備える。ＶＣＳＥＬ９２２ａ〜９２２ｄは、図１に示したＶＣＳＥＬ１２３と同様のＶＣＳＥＬである。ＰＤ９２３ａ〜９２３ｄは、図１に示したＰＤ１２４と同様のＰＤである。また、第２光トランシーバ１２０の導波路１２２は、図１に示したコア１２２ａ，１２２ｂに代えてコア９２１ａ〜９２１ｌを備える。コア９２１ａ〜９２１ｌは、図１に示したコア１２２ａ，１２２ｂと同様のコアである。
【００８２】
第２光トランシーバ１２０のこれらの構成は、第１光トランシーバ１１０の各構成と同様である。ただし、導波路１２２のコア９２１ｉ〜９２１ｌは、それぞれＶＣＳＥＬ９２２ａ〜９２２ｄから出射された光信号を伝播させ、それぞれファイバケーブル１３０のファイバ９３９〜９４２へ出射する。また、導波路１２２のコア９２１ａ〜９２１ｄは、ファイバケーブル１３０のファイバ９３１〜９３４から出射された光信号を伝播させ、それぞれＰＤ９２３ａ〜９２３ｄへ出射する。
【００８３】
ファイバケーブル１３０のファイバ９３１〜９３４は、それぞれ第１光トランシーバ１１０のコア９１１ａ〜９１１ｄから出射された光を伝播させ、それぞれ第２光トランシーバ１２０のコア９２１ａ〜９２１ｄへ出射する。ファイバ９３９〜９４２は、それぞれ第２光トランシーバ１２０のコア９２１ｉ〜９２１ｌから出射された光を伝播させ、それぞれ第１光トランシーバ１１０のコア９１１ｉ〜９１１ｌへ出射する。
【００８４】
ＬＥＤ１１６は、図９に示す例では、Ｘ軸上においてＶＣＳＥＬ９１２ａ〜９１２ｄおよびＰＤ９１３ａ〜９１３ｄとほぼ同じ位置に設けられ、Ｙ軸上においてＶＣＳＥＬ９１２ａ〜９１２ｄとＰＤ９１３ａ〜９１３ｄとの間に設けられている。ただし、ＬＥＤ１１６の位置や大きさは図９に示す例に限らない。たとえば、ＬＥＤ１１６の可視光がコア９１１ａ〜９１１ｌの少なくともいずれかに入射する構成とすればよい。また、たとえば図８に示した構成のように１個の光トランシーバにつきＬＥＤを複数設けてもよい。第１光トランシーバ１１０のＬＥＤ１１６について説明したが第２光トランシーバ１２０のＬＥＤ１２６についても同様である。
【００８５】
（実施の形態２にかかる光伝送システムのＬＥＤによる可視光の照射（ＹＺ平面））
図１０は、実施の形態２にかかる光伝送システムのＬＥＤによる可視光の照射（ＹＺ平面）の一例を示す断面図である。図１０において、図４，図９に示した部分と同様の部分については同一の符号を付して説明を省略する。図１０においては、図９に示した導波路１１２、ＶＣＳＥＬ９１２ａ〜９１２ｄ、ＰＤ９１３ａ〜９１３ｄおよびＬＥＤ１１６をＹＺ平面で切った断面を示している。
【００８６】
図１０に示すように、図９に示した構成においては、たとえばＸＹ平面上におけるＬＥＤ１１６の位置決めを精度よく行わなくても、ＬＥＤ１１６からの可視光４１０をコア９２１ａ〜９２１ｌへ入射させることができる。第１光トランシーバ１１０のＬＥＤ１１６による可視光の照射について説明したが第２光トランシーバ１２０のＬＥＤ１２６による可視光の照射についても同様である。
【００８７】
（実施の形態２にかかる光伝送システムのファイバケーブルの端部における可視光）
図１１および図１２は、実施の形態２にかかる光伝送システムのファイバケーブルの端部における可視光の一例を示す図である。図１１，図１２は、第１光トランシーバ１１０においてＶＣＳＥＬ９１２ａが発光を停止しＬＥＤ１１６が発光した状態で光コネクタ１３２を第２光トランシーバ１２０から外した状態を示している。また、図１１は外した光コネクタ１３２の端部の周辺に環境光がある状態を示し、図１２は光コネクタ１３２の端部の周辺に環境光がない状態を示している。
【００８８】
図１１，図１２に示す端部１１１０は、外した光コネクタ１３２の端部のうちファイバ９３１に対応する部分を示している。コア１１１１はファイバ９３１のコアである。クラッド１１１２はコア１１１１を囲むクラッドである。保護被覆１１１３はクラッド１１１２を囲む保護被覆である。なお図１２においては環境光がないためファイバ９３１のうちの可視光で発光しているコア１１１１のみが見えている。
【００８９】
図１１，図１２に示す端部１１２０は、外した光コネクタ１３２の端部のうちファイバ９３５に対応する部分を示している。コア１１２１はファイバ９３５のコアである。クラッド１１２２はコア１１２１を囲むクラッドである。保護被覆１１２３はクラッド１１２２を囲む保護被覆である。なお図１２においては環境光がないためファイバ９３５のうちの可視光で発光しているコア１１２１のみが見えている。
【００９０】
図１１，図１２に示したように、異常検出時にＬＥＤ１１６を発光させることにより、ファイバケーブル１３０に障害がなければ光コネクタ１３２の端部でＬＥＤ１１６の可視光を正常に視認できる。これにより、ファイバケーブル１３０には異常がないと判断することができる。一方、ファイバケーブル１３０に障害がある場合は、光コネクタ１３２の端部で図１１，図１２に示すような可視光を視認できない。これにより、ファイバケーブル１３０に異常があると判断することができる。
【００９１】
（実施の形態２にかかる光伝送システムの他の例）
図１３は、実施の形態２にかかる光伝送システムの他の一例を示す図である。図１３において、図９に示した部分と同様の部分については同一の符号を付して説明を省略する。図１３に示すように、第１光トランシーバ１１０のＬＥＤ１１６は、Ｘ軸上の位置がＶＣＳＥＬ９１２ａ〜９１２ｄおよびＰＤ９１３ａ〜９１３ｄと異なっていてもよい。図１３においてはＬＥＤ１１６の配置の他の例について説明したが、第２光トランシーバ１２０のＬＥＤ１２６についても同様に、Ｘ軸上の位置がＶＣＳＥＬ９２２ａ〜９２２ｄおよびＰＤ９２３ａ〜９２３ｄと異なっていてもよい。
【００９２】
（実施の形態２にかかるＬＥＤのワイヤ接続）
図１４は、実施の形態２にかかるＬＥＤのワイヤ接続の一例を示す断面図である。図１４において、図１３に示した部分と同様の部分については同一の符号を付して説明を省略する。図１４は、図１３に示した第１光トランシーバ１１０の導波路１１２、基盤１１９およびＬＥＤ１１６をＸＺ平面で切った断面を示している。
【００９３】
図１４に示すように、ＶＣＳＥＬ９１２ｄはワイヤ１４１１，１４１２によって基盤１１９に接続されている。また、ＶＣＳＥＬ９１２ａ〜９１２ｃやＰＤ９１３ａ〜９１３ｄもＶＣＳＥＬ９１２ｄと同様に基盤１１９にワイヤによって接続されている。また、ＬＥＤ１１６はワイヤ１４１３，１４１４によって基盤１１９に接続されている。
【００９４】
図１４に示したように、ＶＣＳＥＬ９１２ａ〜９１２ｄ、ＰＤ９１３ａ〜９１３ｄおよびＬＥＤ１１６は、たとえば基盤１１９にワイヤ接続することができる。また、第２光トランシーバ１２０についても第１光トランシーバ１１０と同様に、ＶＣＳＥＬ９２２ａ〜９２２ｄ、ＰＤ９２３ａ〜９２３ｄおよびＬＥＤ１２６をたとえば基盤１２９にワイヤ接続することができる。また、実施の形態１にかかる第１光トランシーバ１１０や第２光トランシーバ１２０についても同様にワイヤ接続が可能である。
【００９５】
（実施の形態２にかかるＬＥＤのフリップチップ接続）
図１５は、実施の形態２にかかるＬＥＤのフリップチップ接続の一例を示す断面図である。図１５において、図１３に示した部分と同様の部分については同一の符号を付して説明を省略する。図１５においては、図１３に示した第１光トランシーバ１１０の導波路１１２、基盤１１９およびＬＥＤ１１６をＸＺ平面で切った断面を示している。
【００９６】
図１５に示すように、ＶＣＳＥＬ９１２ｄは、基盤１１９の裏面にフリップチップ接続され、基盤１１９に設けられたビア１５１１を介して導波路１１２へ光信号を出射する。また、ＶＣＳＥＬ９１２ａ〜９１２ｃもＶＣＳＥＬ９１２ｄと同様に、基盤１１９の裏面に設けられ、基盤１１９に設けられたビアを介して導波路１１２へ光信号を出射する。
【００９７】
また、ＰＤ９１３ａ〜９１３ｄもＶＣＳＥＬ９１２ｄと同様に、基盤１１９の裏面に設けられる。そして、ＰＤ９１３ａ〜９１３ｄは、基盤１１９に設けられたビアを介して導波路１１２からの光信号を受光する。また、ＬＥＤ１１６は、ＶＣＳＥＬ９１２ｄと同様に、基盤１１９の裏面にフリップチップ接続され、基盤１１９に設けられたビア１５１２を介して導波路１１２へ可視光を出射する。
【００９８】
図１５に示したように、ＶＣＳＥＬ９１２ａ〜９１２ｄ、ＰＤ９１３ａ〜９１３ｄおよびＬＥＤ１１６は、たとえば基盤１１９にフリップチップ接続することができる。また、第２光トランシーバ１２０についても第１光トランシーバ１１０と同様に、ＶＣＳＥＬ９２２ａ〜９２２ｄ、ＰＤ９２３ａ〜９２３ｄおよびＬＥＤ１２６をたとえば基盤１２９にフリップチップ接続することができる。また、実施の形態１にかかる第１光トランシーバ１１０や第２光トランシーバ１２０についても同様にフリップチップ接続が可能である。
【００９９】
（実施の形態２にかかるＬＥＤのミラー裏面照射）
図１６は、実施の形態２にかかるＬＥＤのミラー裏面照射の一例を示す断面図である。図１６において、図１５に示した部分と同様の部分については同一の符号を付して説明を省略する。図１５においては、図１３に示した第１光トランシーバ１１０の導波路１１２、基盤１１９およびＬＥＤ１１６をＸＺ平面で切った断面を示している。
【０１００】
図１６に示す例では、導波路１１２における基盤１１９の反対側には基盤１６１０が設けられている。基盤１６１０は、電気コネクタ１６２０を介して基盤１１９と電気的に接続されている。ＬＥＤ１１６は、基盤１６１０における導波路１１２と反対側の面にフリップチップ接続され、基盤１６１０に設けられたビア１６１１を介して導波路１１２へ可視光を出射する。図１６に示す例では、ＬＥＤ１１６は、導波路１１２のミラー５１１の裏面から導波路１１２へ可視光を出射するミラー裏面照射の構成になっている。
【０１０１】
図１６に示したように、ＬＥＤ１１６は、導波路１１２における基盤１１９の反対側の基盤１６１０に設けるミラー裏面照射の構成とすることも可能である。また、第２光トランシーバ１２０についても第１光トランシーバ１１０と同様に、導波路１２２における基盤１２９の反対側の基盤にＬＥＤ１２６を設けるミラー裏面照射の構成とすることも可能である。また、実施の形態１にかかる第１光トランシーバ１１０や第２光トランシーバ１２０についても同様にミラー裏面照射の構成とすることが可能である。
【０１０２】
（実施の形態２にかかるＬＥＤのワイヤ接続の他の例）
図１７は、実施の形態２にかかるＬＥＤのワイヤ接続の他の一例を示す断面図である。図１７において、図９に示した部分と同様の部分については同一の符号を付して説明を省略する。図１７は、たとえば図９に示したＬＥＤ１１６、各ＶＣＳＥＬおよび各ＰＤがＸ軸上で同じ位置に設けられる構成において、導波路１１２、基盤１１９、ＶＣＳＥＬ９１２ａ〜９１２ｄ、ＰＤ９１３ａ〜９１３ｄおよびＬＥＤ１１６をＹＺ平面で切った断面を示す。
【０１０３】
図１７に示すように、ＶＣＳＥＬ９１２ａ〜９１２ｄは、それぞれワイヤ１７１１〜１７１４によって基盤１１９に接続されている。また、ＰＤ９１３ａ〜９１３ｄは、それぞれワイヤ１７２１〜１７２４によって基盤１１９に接続されている。また、ＬＥＤ１１６は、ワイヤ１７３１によって基盤１１９に接続されている。
【０１０４】
図１７に示したように、ＶＣＳＥＬ９１２ａ〜９１２ｄ、ＰＤ９１３ａ〜９１３ｄおよびＬＥＤ１１６は、たとえば基盤１１９にワイヤ接続することができる。また、図９に示した第２光トランシーバ１２０についても第１光トランシーバ１１０と同様に、ＶＣＳＥＬ９２２ａ〜９２２ｄ、ＰＤ９２３ａ〜９２３ｄおよびＬＥＤ１２６をたとえば基盤１２９にワイヤ接続することができる。
【０１０５】
（実施の形態２にかかるＬＥＤのフリップチップ接続の他の例）
図１８は、実施の形態２にかかるＬＥＤのフリップチップ接続の他の一例を示す断面図である。図１８において、図９に示した部分と同様の部分については同一の符号を付して説明を省略する。図１８は、たとえば図９に示したＬＥＤ１１６、各ＶＣＳＥＬおよび各ＰＤがＸ軸上で同じ位置に設けられる構成において、導波路１１２、基盤１１９、ＶＣＳＥＬ９１２ａ〜９１２ｄ、ＰＤ９１３ａ〜９１３ｄおよびＬＥＤ１１６をＹＺ平面で切った断面を示す。
【０１０６】
ＶＣＳＥＬ９１２ａ〜９１２ｄは、基盤１１９の裏面にフリップチップ接続され、それぞれ基盤１１９に設けられたビア１８１１〜１８１４を介して導波路１１２へ光信号を出射する。ＰＤ９１３ａ〜９１３ｄは、基盤１１９の裏面にフリップチップ接続され、それぞれ基盤１１９に設けられたビア１８２１〜１８２４を介して導波路１１２からの光信号を受光する。ＬＥＤ１１６は、基盤１１９の裏面にフリップチップ接続され、基盤１１９に設けられたビア１８３１を介して導波路１１２へ可視光を出射する。
【０１０７】
図１８に示したように、ＶＣＳＥＬ９１２ａ〜９１２ｄ、ＰＤ９１３ａ〜９１３ｄおよびＬＥＤ１１６は、たとえば基盤１１９にフリップチップ接続することができる。また、図９に示した第２光トランシーバ１２０についても第１光トランシーバ１１０と同様に、ＶＣＳＥＬ９２２ａ〜９２２ｄ、ＰＤ９２３ａ〜９２３ｄおよびＬＥＤ１２６をたとえば基盤１２９にフリップチップ接続することができる。
【０１０８】
（実施の形態２にかかる光トランシーバに光結合コネクタを用いる構成）
図１９は、実施の形態２にかかる光トランシーバに光結合コネクタを用いる構成の一例を示す図である。図１９において、図９に示した部分と同様の部分については同一の符号を付して説明を省略する。図１９に示すように、実施の形態２にかかる第１光トランシーバ１１０は、たとえば図９に示した導波路１１２および光コネクタ１１７に代えて光結合コネクタ１９１０を備えてもよい。
【０１０９】
光結合コネクタ１９１０は、ＶＣＳＥＬ９１２ａ〜９１２ｄから出射された各光信号をそれぞれファイバケーブル１３０のファイバ９３１〜９３４へ結合させる。また、光結合コネクタ１９１０は、ファイバケーブル１３０のファイバ９３９〜９４２から出射された各光信号をそれぞれＰＤ９１３ａ〜９１３ｄへ出射する。また、光結合コネクタ１９１０は、ＬＥＤ１１６から出射された可視光を、ファイバケーブル１３０のファイバ９３１〜９４２の少なくともいずれかに結合させる。
【０１１０】
ファイバケーブル１３０の光コネクタ１３１は、第１光トランシーバ１１０の光結合コネクタ１９１０との間で着脱が可能な光コネクタである。図１９に示したように、第１光トランシーバ１１０は、光結合コネクタ１９１０によってファイバケーブル１３０と接続する構成としてもよい。また、第２光トランシーバ１２０についても第１光トランシーバ１１０と同様に、光結合コネクタによってファイバケーブル１３０と接続する構成としてもよい。また、実施の形態１にかかる第１光トランシーバ１１０や第２光トランシーバ１２０についても同様に光結合コネクタによってファイバケーブル１３０と接続する構成とすることが可能である。
【０１１１】
（実施の形態２にかかる光結合コネクタのミラー付きコネクタ型の構成）
図２０は、実施の形態２にかかる光結合コネクタのミラー付きコネクタ型の構成の一例を示す断面図である。図２０において、図１４，図１９に示した部分と同様の部分については同一の符号を付して説明を省略する。図２０は、図１９に示した第１光トランシーバ１１０の光結合コネクタ１９１０、基盤１１９およびＶＣＳＥＬ９１２ｄをＸＺ平面で切った断面を示している。
【０１１２】
図２０に示すように、光結合コネクタ１９１０は、ミラー２０１１と、ファイバ２０１２と、を有する透明部材である。ミラー２０１１は、ＶＣＳＥＬ９１２ｄから出射された光信号を反射させてファイバ２０１２へ出射する。ファイバ２０１２は、ミラー２０１１から出射された光信号を伝播させてファイバケーブル１３０のファイバ９３４へ出射する。ファイバケーブル１３０のファイバ９３４は、ファイバ２０１２から出射された光信号を伝播させて第２光トランシーバ１２０へ出射する。
【０１１３】
ＶＣＳＥＬ９１２ｄから出射された光信号について説明したが、光結合コネクタ１９１０は、ＶＣＳＥＬ９１２ａ〜９１２ｃから出射された各光信号についても同様に、それぞれファイバケーブル１３０のファイバ９３１〜９３３へ出射する。また、光結合コネクタ１９１０は、ファイバケーブル１３０のファイバ９３９〜９４２から出射された各光信号をミラー２０１１によって反射させてそれぞれＰＤ９１３ａ〜９１３ｄへ出射する。
【０１１４】
たとえば、ファイバケーブル１３０の光コネクタ１３１を第１光トランシーバ１１０の光結合コネクタ１９１０から外すと、ファイバ２０１２とファイバ９３４との間が離れる。そして、このときに第２光トランシーバ１２０のＬＥＤ１２６から可視光が出射されてファイバケーブル１３０を伝播していると、外した光コネクタ１３１の端部において可視光を視認することができる。
【０１１５】
図２０に示したように、第１光トランシーバ１１０の光結合コネクタ１９１０は、ミラー付きコネクタ型の構成とすることができる。また、第２光トランシーバ１２０についても、光結合コネクタによってファイバケーブル１３０と接続する構成とする場合は、その光結合コネクタをミラー付きコネクタ型の構成とすることができる。
【０１１６】
図２０に示した例では各ＶＣＳＥＬ、各ＰＤおよびＬＥＤ１１６を基盤１１９にワイヤ接続する構成について説明したが、各ＶＣＳＥＬ、各ＰＤおよびＬＥＤ１１６を基盤１１９にフリップチップ接続する構成としてもよい。
【０１１７】
（実施の形態２にかかる光結合コネクタのファイバベンド型の構成）
図２１および図２２は、実施の形態２にかかる光結合コネクタのファイバベンド型の構成の一例を示す断面図である。図２１，図２２において、図１７，図１９に示した部分と同様の部分については同一の符号を付して説明を省略する。図２１は、図１９に示した第１光トランシーバ１１０の光結合コネクタ１９１０、基盤１１９およびＶＣＳＥＬ９１２ｄをＸＺ平面で切った断面を示している。図２２は、図１９に示した第１光トランシーバ１１０の光結合コネクタ１９１０、基盤１１９、各ＶＣＳＥＬ、各ＰＤおよびＬＥＤ１１６をＹＺ平面で切った断面を示している。
【０１１８】
図２１，図２２に示すように、光結合コネクタ１９１０は、湾曲したファイバ２１１１〜２１１４，２１２１〜２１２４を有する。たとえば、図２１に示すファイバ２１１４は、ＶＣＳＥＬ９１２ｄから出射された光信号を伝播させてファイバケーブル１３０のファイバ９３４へ出射する。ファイバケーブル１３０のファイバ９３４は、ファイバ２１１４から出射された光信号を伝播させて第２光トランシーバ１２０へ出射する。
【０１１９】
ＶＣＳＥＬ９１２ｄから出射された光信号について説明したが、光結合コネクタ１９１０は、ＶＣＳＥＬ９１２ａ〜９１２ｃから出射された各光信号についても同様に、それぞれファイバ２１１１〜２１１３によってファイバ９３１〜９３３へ出射する。また、光結合コネクタ１９１０は、ファイバケーブル１３０のファイバ９３９〜９４２から出射された各光信号をそれぞれファイバ２１２１〜２１２４によってそれぞれＰＤ９１３ａ〜９１３ｄへ出射する。
【０１２０】
たとえば、ファイバケーブル１３０の光コネクタ１３１を第１光トランシーバ１１０の光結合コネクタ１９１０から外すと、ファイバ２１１４とファイバ９３４との間が離れる。そして、このときに第２光トランシーバ１２０のＬＥＤ１２６から可視光が出射されてファイバケーブル１３０を伝播していると、外した光コネクタ１３１の端部において可視光を視認することができる。
【０１２１】
図２１，図２２に示したように、第１光トランシーバ１１０の光結合コネクタ１９１０は、ファイバベンド型の構成とすることができる。また、第２光トランシーバ１２０についても、光結合コネクタによってファイバケーブル１３０と接続する構成とする場合は、その光結合コネクタをファイバベンド型の構成とすることができる。
【０１２２】
図２１，図２２に示した例では各ＶＣＳＥＬ、各ＰＤおよびＬＥＤ１１６を基盤１１９にワイヤ接続する構成について説明したが、各ＶＣＳＥＬ、各ＰＤおよびＬＥＤ１１６を基盤１１９にフリップチップ接続する構成としてもよい。
【０１２３】
（実施の形態２にかかる光伝送システムにおける異常発生時の処理）
実施の形態２にかかる光伝送システム１００における異常発生時の処理については、たとえば図６に示した処理と同様である。ただし、ステップＳ６０１において、ＴＩＡ＿ＩＣ１１５は、ＰＤ９１３ａ〜９１３ｄの少なくともいずれかの光入力断を検出する。また、ステップＳ６０２において、ドライバＩＣ１１１は、ＶＣＳＥＬ９１２ａ〜９１２ｄの各発光を停止させる。
【０１２４】
また、ステップＳ６０３において、ＴＩＡ＿ＩＣ１２５は、ステップＳ６０２によって第１光トランシーバ１１０のＶＣＳＥＬ９１２ａ〜９１２ｄの発光が停止したことにより、ＰＤ９２３ａ〜９２３ｄへの各光入力断を検出する。また、ステップＳ６０４において、ドライバＩＣ１２１は、ＶＣＳＥＬ９２２ａ〜９２２ｄの各発光を停止させる。
【０１２５】
（実施の形態２にかかる光伝送システム１００の保守者による異常原因の判別作業）
実施の形態２にかかる光伝送システム１００の保守者（作業者）による異常原因の判別作業については、たとえば図７に示した判別作業と同様である。
【０１２６】
このように、実施の形態２にかかる第１光トランシーバ１１０によれば、１２芯のファイバケーブル１３０を用いて光伝送を行う構成においても、実施の形態１にかかる第１光トランシーバ１１０と同様の効果を得ることができる。
【０１２７】
また、ファイバケーブル１３０は、ＶＣＳＥＬ９１２ａ〜９１２ｄから送信された光信号を伝播させるファイバ９３１〜９３４（第１ファイバ）を含む。また、ファイバケーブル１３０は、ＰＤ９１３ａ〜９１３ｄによって受信される光信号を伝播させるファイバ９３９〜９４２（第２ファイバ）を含む。また、ファイバケーブル１３０は、ファイバ９３１〜９３４とファイバ９３９〜９４２との間に設けられ光信号が伝播しないファイバ９３５〜９３８（第３ファイバ）を含む。
【０１２８】
これにより、ファイバ９３１〜９３４に対応するＶＣＳＥＬ９１２ａ〜９１２ｄと、ファイバ９３９〜９４２に対応するＰＤ９１３ａ〜９１３ｄと、の間にはファイバ９３５〜９３８に対応するスペースが存在する。このため、このスペースにＬＥＤ１１６を設けることにより、ＬＥＤ１１６をＶＣＳＥＬ９１２ａ〜９１２ｄとＰＤ９１３ａ〜９１３ｄとの間に容易に設けることができる。
【０１２９】
実施の形態２においては１２芯のファイバケーブル１３０を用いて光伝送を行う構成について説明したが、ファイバケーブル１３０のコアの数は、１２芯に限らず任意の数とすることができる。
【０１３０】
以上説明したように、光トランシーバによれば、作業者の目を保護しつつ、光がファイバ端まで届いているかを確認可能にすることができる。
【０１３１】
たとえば、従来、光伝送システムの現場の作業者から、アイセーフティを順守しつつ、直感的にファイバの断線を判断できる機能が求められている。これに対して、上述した各実施の形態によれば、光トランシーバが、ＰＤの光入力断を検出した場合に、ＶＣＳＥＬの発光を止めるとともにＬＥＤを発光させて可視光をファイバへ入射させることができる。これにより、作業者の目を保護しつつ、光がファイバ端まで届いているかを確認できる。これにより、アイセーフティを順守しつつ、直感的にファイバの断線を判断できる。
【０１３２】
上述した各実施の形態に関し、さらに以下の付記を開示する。
【０１３３】
（付記１）ファイバを有する光伝送部材を介して光信号を送信するレーザ光源と、
前記光伝送部材を介して光信号を受信する受光部と、
前記光伝送部材へ入射する可視光を発する可視光源と、
前記受光部が光信号を受信していないことを検出すると、前記レーザ光源からの光信号の送信を停止させ、前記可視光源から可視光を発せさせる制御部と、
を備えることを特徴とする光トランシーバ。
【０１３４】
（付記２）前記可視光源は、前記レーザ光源と前記受光部との間に設けられることを特徴とする付記１に記載の光トランシーバ。
【０１３５】
（付記３）前記可視光源は、拡散する前記可視光を発することを特徴とする付記１または２に記載の光トランシーバ。
【０１３６】
（付記４）前記光伝送部材は、前記レーザ光源によって送信された光信号を伝播させる第１ファイバと、前記受光部によって受信される光信号を伝播させる第２ファイバと、を含み、
前記可視光源は、拡散して前記第１ファイバおよび前記第２ファイバの少なくともいずれかへ入射する前記可視光を発する、
ことを特徴とする付記１〜３のいずれか一つに記載の光トランシーバ。
【０１３７】
（付記５）前記光伝送部材は、前記レーザ光源によって送信された光信号を伝播させる第１ファイバと、前記受光部によって受信される光信号を伝播させる第２ファイバと、を含み、
前記可視光源は、拡散して前記第１ファイバおよび前記第２ファイバへ入射する前記可視光を発する、
ことを特徴とする付記１〜３のいずれか一つに記載の光トランシーバ。
【０１３８】
（付記６）前記光伝送部材は、前記第１ファイバと前記第２ファイバとの間に設けられ光信号が伝播しない第３ファイバを含むことを特徴とする付記４または５に記載の光トランシーバ。
【０１３９】
（付記７）前記光伝送部材は、前記レーザ光源によって前記光伝送部材を介して送信された光信号を受信し、前記光伝送部材を介して前記受光部へ光信号を送信する他の光トランシーバに対して着脱可能であることを特徴とする付記１〜５のいずれか一つに記載の光トランシーバ。
【０１４０】
（付記８）ファイバを有する光伝送部材を介して光信号を送信するレーザ光源と、前記光伝送部材を介して光信号を受信する受光部と、前記光伝送部材へ入射する可視光を発する可視光源と、を備える光トランシーバが、
前記受光部が光信号を受信していないことを検出すると、
前記レーザ光源からの光信号の送信を停止させ、前記可視光源から可視光を発せさせる、
ことを特徴とする制御方法。
【符号の説明】
【０１４１】
１００  光伝送システム
１１０  第１光トランシーバ
１１１，１２１  ドライバＩＣ
１１２，１２２  導波路
１１２ａ，１１２ｂ，１２２ａ，１２２ｂ，５４１，９１１ａ〜９１１ｌ，９２１ａ〜９２１ｌ，１１１１，１１２１  コア
１１３，１２３，９１２ａ〜９１２ｄ，９２２ａ〜９２２ｄ  ＶＣＳＥＬ
１１４，１２４，９１３ａ〜９１３ｄ，９２３ａ〜９２３ｄ  ＰＤ
１１５，１２５  ＴＩＡ＿ＩＣ
１１６，１２６，８１１，８１２  ＬＥＤ
１１７，１２７，１３１，１３２  光コネクタ
１１９，１２９，１６１０  基盤
１２０  第２光トランシーバ
１３０  ファイバケーブル
１３３，１３４，９３１〜９４２，２０１２，２１１１〜２１１４，２１２１〜２１２４  ファイバ
２０１  ＴＩＡ
２０２，２０３  増幅器
２０４  ＬＯＳ生成回路
３１０  光信号パワー
３２０  ＰＤ電流
３３０  ＬＯＳ信号
４１０，５２１  可視光
４１１  放射角
５１１，２０１１  ミラー
５３１  レンズ部
５５１  目
１１１０，１１２０  端部
１１１２，１１２２  クラッド
１１１３，１１２３  保護被覆
１４１１〜１４１４，１７１１〜１７１４，１７２１〜１７２４，１７３１  ワイヤ
１５１１，１５１２，１６１１，１８１１〜１８１４，１８２１〜１８２４，１８３１  ビア
１６２０  電気コネクタ
１９１０  光結合コネクタ
【図１】
2018129651.tif 000003
【図２】
2018129651.tif 000004
【図３】
2018129651.tif 000005
【図４】
2018129651.tif 000006
【図５】
2018129651.tif 000007
【図６】
2018129651.tif 000008
【図７】
2018129651.tif 000009
【図８】
2018129651.tif 000010
【図９】
2018129651.tif 000011
【図１０】
2018129651.tif 000012
【図１１】
2018129651.tif 000013
【図１２】
2018129651.tif 000014
【図１３】
2018129651.tif 000015
【図１４】
2018129651.tif 000016
【図１５】
2018129651.tif 000017
【図１６】
2018129651.tif 000018
【図１７】
2018129651.tif 000019
【図１８】
2018129651.tif 000020
【図１９】
2018129651.tif 000021
【図２０】
2018129651.tif 000022
【図２１】
2018129651.tif 000023
【図２２】
2018129651.tif 000024